(57)【要約】【課題】  初期の筆跡を永続して保持できると共に、変色液を筆跡上に塗布することにより変色又は消色させることのできる実用性に優れた変色性インキ組成物、及びそれを内蔵した変色性筆記具、前記変色性筆記具と変色液を収容した変色用塗布具とからなる筆記具セットを提供する。【解決手段】  水と、還元剤により変色又は消色する染料と、アミノ酸又はその塩とから少なくともなる変色性インキ組成物、前記インキ組成物を内蔵してなるマーキングペン形態の変色性筆記具、前記変色性筆記具と変色液を収容した変色用塗布具とからなる筆記具セット。【選択図】  なし【特許請求の範囲】
【請求項１】
水と、還元剤により変色又は消色する染料と、アミノ酸又はその塩とから少なくともなる変色性インキ組成物。
【請求項２】
前記アミノ酸又はその塩がグリシン、グリシルグリシン、フェニルアラニン、グルタミン、グルタミン酸、グルタミン酸塩から選ばれる請求項１記載の変色性インキ組成物。
【請求項３】
請求項１又は２記載の変色性インキ組成物を内蔵してなるマーキングペン形態の変色性筆記具。
【請求項４】
後端部に変色液を収容した変色用塗布具を備えてなる請求項３記載の変色性筆記具。
【請求項５】
請求項３記載の変色性筆記具と、変色液を収容した変色用塗布具とからなる筆記具セット。
【発明の詳細な説明】
【技術分野】
【０００１】
本発明は変色性インキ組成物及びそれを内蔵した変色性筆記具、筆記具セットに関する。
更に詳細には、変色液の適用により変色又は消色可能な筆跡を形成できる変色性インキ組成物及びそれを内蔵した変色性筆記具、筆記具セットに関する。
【背景技術】
【０００２】
従来より、着色剤として還元剤により変色又は消色する染料を用いた変色性インキ組成物が開示されている（例えば、特許文献１参照）。
前記インキ組成物を内蔵した筆記具により形成された筆跡は、その上から変色液を塗布することにより筆跡を変色又は消色可能であるが、該筆跡を形成する紙の材質によっては、変色液を塗布する前に変色して初期の色調を維持することが困難であった。
【特許文献１】特公昭５４−２２３４５号公報
【発明の開示】
【発明が解決しようとする課題】
【０００３】
本発明は、変色液を塗布する前の筆跡が変色することなく、永続して良好な筆跡の色濃度を保持することのできる変色性インキ組成物及びそれを内蔵した変色性筆記具、筆記具セットを提供しようとするものである。
【課題を解決するための手段】
【０００４】
本発明は、水と、還元剤により変色又は消色する染料と、アミノ酸又はその塩とから少なくともなる変色性インキ組成物を要件とする。
更には、前記アミノ酸又はその塩がグリシン、グリシルグリシン、フェニルアラニン、グルタミン、グルタミン酸、グルタミン酸塩から選ばれることを要件とする。
更には、前記変色性インキ組成物を内蔵してなるマーキングペン形態の変色性筆記具を要件とする。
更には、前記変色性筆記具と、変色液を収容した変色用塗布具とからなる筆記具セットを要件とする。
【発明の効果】
【０００５】
本発明は、インキ組成物中にアミノ酸又はその塩を含有させることによって、初期の筆跡が永続して保持できると共に、変色液を筆跡上に塗布することにより変色又は消色させることのできる実用性に優れた変色性インキ組成物、及びそれを内蔵した変色性筆記具、前記変色性筆記具と変色液を収容した変色用塗布具とからなる筆記具セットを提供できる。
【発明を実施するための最良の形態】
【０００６】
前記インキ中に含まれる着色剤としては、還元剤によって変色又は消色する染料であって、メチン系染料、トリメチルメタン系染料、ジフェニルメタン系染料、トリフェニルメタン系染料、キサンテン系染料、シアニン系染料、アゾ系染料、アントラキノン系染料、シアニン系染料等を使用することができる。
前記染料として具体的には、Ｃ．Ｉ．ベーシックブルー１、Ｃ．Ｉ．ベーシックブルー３、Ｃ．Ｉ．ベーシックブルー７、Ｃ．Ｉ．ベーシックブルー５４、Ｃ．Ｉ．ベーシックブルー６５、Ｃ．Ｉ．ベーシックブルー６９、Ｃ．Ｉ．ベーシックオレンジ２１、Ｃ．Ｉ．ベーシックオレンジ４６、Ｃ．Ｉ．ベーシックレッド１３、Ｃ．Ｉ．ベーシックレッド１４、Ｃ．Ｉ．ベーシックレッド３７、Ｃ．Ｉ．ベーシックレッド４９、Ｃ．Ｉ．ベーシックグリーン１、Ｃ．Ｉ．ベーシックグリーン４、Ｃ．Ｉ．ベーシックバイオレット１、Ｃ．Ｉ．ベーシックバイオレット１０、Ｃ．Ｉ．ベーシックバイオレット１５、Ｃ．Ｉ．ベーシックバイオレット２７、Ｃ．Ｉ．ベーシックイエロー４９、Ｃ．Ｉ．アシッドブルー９３、Ｃ．Ｉ．アシッドレッド９２、Ｃ．Ｉ．アシッドグリーン３、Ｃ．Ｉ．アシッドバイオレット１９、Ｃ．Ｉ．アシッドイエロー２３を例示できる。
なお、前記還元剤によって変色又は消色する染料と共に、還元剤によって変色し難い染料や顔料を併用することによって、筆記時には前記染料の色調が混色となった筆跡が視認され、前記筆跡に変色液を付着させることにより、一方の染料が変色又は消色して異なる色調の筆跡を視認可能な構成とすることもできる。
【０００７】
前記アミノ酸としては、リシン、グリシン、アラニン、バリン、フェニルアラニン、ロイシン、イソロイシン、セリン、トレオニン、シスチン、プロリン、チロシン、メチオニン、アスパラギン、グルタミン、グリシルグリシン、アスパラギン酸、グルタミン酸、グルタミン酸塩等が挙げられる。
前記アミノ酸の塩としては、ナトリウム塩、カリウム塩、マグネシウム塩、アルカノールアミン塩、塩酸塩等が挙げられ、具体的には、グルタミン酸ナトリウム、グルタミン酸カリウム等を例示できる。
前記アミノ酸又はその塩として、特にグリシン、グリシルグリシン、フェニルアラニングルタミン、グルタミン酸、グルタミン酸塩が好適に用いられる。
前記アミノ酸又はその塩は、インキ組成物中０．５重量％以上、好ましくは０．５〜５重量％、より好ましくは０．７〜３重量％の範囲で用いられる。
０．５重量％未満では紙面上での筆跡の色濃度変化を防止でき難く、また、５重量％を越えて添加することも可能であるが、５重量％未満で筆跡の色濃度変化を防止する効果を奏するため、これ以上の添加量は必要としない。
【０００８】
前記インキに用いられる溶剤としては、水と必要により水溶性有機溶剤が用いられる。
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が用いられる。
【０００９】
その他、必要に応じて染料の発消色に影響を及ぼさない範囲で、防錆剤、石炭酸等の防腐剤或いは防黴剤、界面活性剤、湿潤剤、メチルポリシロキサン等の消泡剤等の添加剤を用いたり、紙面への固着性や粘性付与のためにアクリル樹脂、スチレンマレイン酸共重合樹脂、ポリビニルピロリドン、ポリビニルアルコール、デキストリン等を用いることもできる。
【００１０】
また、前記インキをボールペンに内蔵して実用に供する場合、剪断減粘性付与剤を添加することによって、インキを充填するボールペンの不使用時にボールとチップの間隙からのインキ漏れだしを防止したり、筆記先端部を上向き（正立状態）で放置した場合のインキの逆流を防止することができる。
なお、前記剪断減粘性付与剤を添加したインキ組成物の粘度は、２０℃でのＥ型回転粘度計による３．８４Ｓ−１の剪断速度におけるインキ粘度が２００〜３０００ｍＰａ・ｓを示し、且つ、剪断減粘指数が０．１〜０．６を示すことが好ましい。
なお、剪断減粘指数（ｎ）は、剪断応力値（Ｔ）及び剪断速度値（ｊ）の如き粘度計による流動学測定から得られる実験式Ｔ＝Ｋｊｎ（Ｋは非ニュートン粘性係数）にあてはめることによって計算される値である。
前記剪断減粘性付与剤としては、キサンタンガム、ウェランガム、構成単糖がグルコースとガラクトースの有機酸修飾ヘテロ多糖体であるサクシノグリカン（平均分子量約１００乃至８００万）、アルカガム、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類、Ｎ−アルキル−２−ピロリドンとアニオン系界面活性剤の混合物、ポリビニルアルコールとアクリル系樹脂の混合物を例示できる。
【００１１】
更に、前記インキをボールペンに内蔵して実用に供する場合、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗防止効果を付与することが好ましい。
【００１２】
なお、インキ中で染料の発色性を良好なものとするためには、インキのｐＨを１〜６にする必要がある。
よって、インキのｐＨを前記酸性領域に調整が必要な場合は酸性物質を添加することもでき、蟻酸、酢酸、プロピオン酸、乳酸、シュウ酸、コハク酸、リンゴ酸、クエン酸、酒石酸、リン酸、パラトルエンスルホン酸等のスルホン酸、塩酸、硫酸、硝酸等を適用することもできる。
【００１３】
前記インキは、チップを筆記先端部に装着したマーキングペンやボールペンに充填して実用に供される。
マーキングペンに充填する場合、マーキングペン自体の構造、形状は特に限定されるものではなく、例えば、繊維チップ、フェルトチップ、プラスチックチップ等のマーキングペンチップを筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させて筆記先端部に所定量のインキを供給する構造、軸筒内部に直接インキを収容して、弁機構により筆記先端部に所定量のインキを供給する構造のマーキングペンが挙げられる。
ボールペンに充填する場合、ボールペン自体の構造、形状は特に限定されるものではなく、例えば、軸筒に収容した繊維束からなるインキ吸蔵体にインキを含浸させ、ボールペンチップを装着した筆記先端部にインキを供給する構造、軸筒内部に直接インキを収容し、櫛溝状のインキ流量調節部材や繊維束からなるインキ流量調節部材を介在させて筆記先端部に所定量のインキを供給する構造、軸筒内にインキを充填したインキ収容管を有し、該インキ収容管はボールペンチップに連通しており、さらにインキの端面には逆流防止用の液栓を配設した構造のボールペンを例示できる。
【００１４】
前記ボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
また、前記ボールは、超硬合金、ステンレス鋼、ルビー、セラミック、樹脂、ゴム等の０．１〜３ｍｍ径程度のものが適用できる。
なお、本発明のインキを充填する筆記具は、ボールと同様の転動作用により筆跡を形成させる、ローラー等の転動機構を筆記先端部に備えたものを含む。
【００１５】
インキを収容するインキ収容管は、例えば、ポリエチレン、ポリプロピレン、ポリエチレンテレフタレート、ナイロン等の熱可塑性樹脂からなる透明性成形体が好適に用いられる。
前記インキ収容管の透明性とは着色透明、半透明、着色半透明を含み、インキ色やインキ残量等を確認することができる。
前記インキ収容管には直接又は接続部材を介してチップを連結したレフィルとし、前記レフィルを軸筒内に収容して筆記具を構成できる。
また、先端部にチップを装着した軸筒自体に直接インキを充填して筆記具を構成することもできる。
前記軸筒は透明（着色透明、半透明、着色半透明を含む）にすることにより、インキ色やインキ残量等を確認することができる。
【００１６】
前記インキ収容管又は軸筒に収容したインキの後端にはインキ逆流防止体を充填することもできる。
前記インキ逆流防止体は不揮発性液体及び／又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等が挙げられ、一種又は二種以上を併用することもできる。
【００１７】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体と、固体のインキ逆流防止体を併用することもできる。
【００１８】
前記変色性インキを変色又は消色させる変色液に含まれる還元剤として具体的には、亜硫酸ナトリウム、亜硫酸カリウム、亜硫酸リチウム、亜硫酸カルシウム、亜硫酸アンモニウム、亜硫酸亜鉛、チオ硫酸ナトリウム、チオ硫酸カリウム、チオ硫酸アンモミウム、次亜塩素酸ナトリウム、塩化錫、ハイドロサルファイト等を例示でき、変色又は消色性能の観点から亜硫酸ナトリウムが好適に用いられる。
また、前記変色液には必要に応じて有機溶剤や各種添加剤を配合でき、例えば、トリエタノールアミン等のアルカノールアミンを添加すると消去性を向上させることができる。
前記変色用塗布具としては、収容した変色液を開口部から直接筆跡に付着させる簡易構造の塗布具、開口部に刷毛等の吸液体を設けたキャップを有し、キャップを嵌めた状態で前記吸液体が容器内の変色液を含浸する構成となし、筆跡上に吸液体を接触させて変色液を塗布する構造の塗布具を例示できる。
また、筆記具の構造を有する塗布具であってもよく、塗布部に繊維チップ、フェルトチップ、プラスチックチップ、筆穂等を筆記先端部に装着し、軸筒内部に収容した繊維束からなるインキ吸蔵体に変色液を含浸させ、筆記先端部に変色液を供給する構造、軸筒内部に直接インキを収容し、櫛溝状の液体流量調節部材や繊維束からなる液体流量調節部材を介在させて筆記先端部に所定量の変色液を供給する構造、軸筒内部に直接変色液を収容して、弁機構により筆記先端部に所定量の変色液を供給する構造のマーキングペンや筆ペン、軸筒に収容した繊維束からなる吸蔵体に変色液を含浸させ、ボールペンチップを装着した筆記先端部に変色液を供給する構造、軸筒内部に直接インキを収容し、櫛溝状の液体流量調節部材や繊維束からなる液体流量調節部材を介在させて筆記先端部に所定量の変色液を供給する構造、軸筒内に変色液を充填した収容管を有し、該収容管はボールペンチップに連通しており、さらに変色液の後端には逆流防止用の液栓を配設した構造のボールペンを例示できる。
【００１９】
前記変色用塗布具（ボールペン、マーキングペン、筆ペン等）は、変色性インキを内蔵した変色性筆記具の一部、具体的には後部に設けて（所謂、両頭式筆記具構造）、筆記により得られた筆跡を単一の筆記具により変色又は消色可能な携帯性に優れた筆記具とすることができる。
なお、前記変色液を筆記具形態の塗布具に収容して実用に供する場合、変色性インキにより形成された筆跡の幅よりも太い筆跡幅を形成できる塗布具が効率的に前記筆跡を変色又は消色させることができる。
【００２０】
また、変色用塗布具と、変色性インキを内蔵した変色性筆記具を組み合わせて筆記具セットを得ることもできる。
前記筆記具セットは、単一の変色性筆記具と変色用塗布具により構成されていてもよいが、複数の色調の異なる変色性筆記具や複数の筆跡幅の異なる変色性筆記具と変色用塗布具を組み合わせた筆記具セットとすることにより、バリエーションに富む筆跡や絵柄を形成できると共に、前記筆跡や絵柄を変色又は消色可能な意外性を有する筆記具セットが得られる。
なお、前記変色液を筆記具形態の塗布具に収容して実用に供する場合、変色性ボールペンにより形成された筆跡の幅よりも太い筆跡幅を形成できる塗布具が効率的に前記筆跡を変色又は消色させることができる。
【実施例】
【００２１】
以下に実施例を示すが、本発明は以下の実施例に限定されるものではない。
なお、実施例中の部は重量部を示す。
【００２２】
実施例１
変色性インキ組成物の調製
緑色染料                                                    １．０部
〔保土谷化学工業（株）製、商品名：ダイヤモンドグリーンＧＨ〕
橙色染料                                                    ０．４部
〔保土谷化学工業（株）製、商品名：カチロンオレンジＧＬＨ〕
グリシルグリシン                                            １．０部
石炭酸（防腐剤）                                            ０．３部
界面活性剤                                                  ０．３部
グリセリン                                                ２０．０部
水（イオン交換水）                                        ７７．０部
前記溶剤中に染料及び各種添加剤を加えて、攪拌して緑色の変色性インキ組成物を得た。
【００２３】
変色性筆記具の作製
前記変色性インキ組成物を、軸筒内に直接収容し、櫛溝状のインキ流量調節部材を介して軸筒先端部にチゼル型繊維マーキングペンチップを取り付けてマーキングペン形態の変色性筆記具を得た。
なお、前記変色性筆記具には着脱自在のキャップを備えてなる。
【００２４】
実施例２
変色性インキ組成物の調製
緑色染料                                                    １．０部
〔保土谷化学工業（株）製、商品名：ダイヤモンドグリーンＧＨ〕
橙色染料                                                    ０．４部
〔保土谷化学工業（株）製、商品名：カチロンオレンジＧＬＨ〕
フェニルアラニン                                            １．０部
石炭酸（防腐剤）                                            ０．３部
界面活性剤                                                  ０．３部
グリセリン                                                ２０．０部
水（イオン交換水）                                        ７７．０部
前記溶剤中に染料及び各種添加剤を加えて、攪拌して緑色の変色性インキ組成物を得た。
【００２５】
変色性筆記具の作製
前記変色性インキ組成物を、軸筒内に直接収容し、櫛溝状のインキ流量調節部材を介して軸筒先端部にチゼル型繊維マーキングペンチップを取り付けてマーキングペン形態の変色性筆記具を得た。
なお、前記変色性筆記具には着脱自在のキャップを備えてなる。
【００２６】
実施例３
変色性インキ組成物の調製
緑色染料                                                    １．０部
〔保土谷化学工業（株）製、商品名：ダイヤモンドグリーンＧＨ〕
橙色染料                                                    ０．４部
〔保土谷化学工業（株）製、商品名：カチロンオレンジＧＬＨ〕
グリシン                                                    １．０部
石炭酸（防腐剤）                                            ０．３部
界面活性剤                                                  ０．３部
グリセリン                                                ２０．０部
水（イオン交換水）                                        ７７．０部
前記溶剤中に染料及び各種添加剤を加えて、攪拌して緑色の変色性インキ組成物を得た。
【００２７】
変色性筆記具の作製
前記変色性インキ組成物を、ポリエステルスライバーを合成樹脂フィルムで被覆した繊維集束インキ吸蔵体に含浸させて軸筒内に収容し、軸筒先端部に砲弾型繊維マーキングペンチップを取り付けてマーキングペン形態の変色性筆記具を得た。
なお、前記変色性筆記具には着脱自在のキャップを備えてなる。
【００２８】
実施例４
変色性インキ組成物の調製
緑色染料                                                    １．０部
〔保土谷化学工業（株）製、商品名：ダイヤモンドグリーンＧＨ〕
橙色染料                                                    ０．４部
〔保土谷化学工業（株）製、商品名：カチロンオレンジＧＬＨ〕
グルタミン                                                  １．０部
石炭酸（防腐剤）                                            ０．３部
界面活性剤                                                  ０．３部
グリセリン                                                ２０．０部
水（イオン交換水）                                        ７７．０部
前記溶剤中に染料及び各種添加剤を加えて、攪拌して緑色の変色性インキ組成物を得た。
【００２９】
変色性筆記具の作製
前記変色性インキ組成物を、軸筒内に直接収容し、櫛溝状のインキ流量調節部材を介して軸筒先端部にチゼル型繊維マーキングペンチップを取り付けてマーキングペン形態の変色性筆記具を得た。
なお、前記変色性筆記具には着脱自在のキャップを備えてなる。
【００３０】
比較例１
変色性インキ組成物の調製
緑色染料                                                    １．０部
〔保土谷化学工業（株）製、商品名：ダイヤモンドグリーンＧＨ〕
橙色染料                                                    ０．４部
〔保土谷化学工業（株）製、商品名：カチロンオレンジＧＬＨ〕
石炭酸（防腐剤）                                            ０．３部
界面活性剤                                                  ０．３部
グリセリン                                                ２０．０部
水（イオン交換水）                                        ７８．０部
前記溶剤中に染料及び各種添加剤を加えて、攪拌して緑色の変色性インキ組成物を得た。
【００３１】
変色性筆記具の作製
前記変色性インキ組成物を、ポリエステルスライバーを合成樹脂フィルムで被覆した繊維集束インキ吸蔵体に含浸させて軸筒内に収容し、軸筒先端部にチゼル型繊維マーキングペンチップを取り付けてマーキングペン形態の変色性筆記具を得た。
なお、前記変色性筆記具には着脱自在のキャップを備えてなる。
【００３２】
各実施例及び比較例で得られた変色性筆記具を用いて以下の試験を行った。
変色性試験
各変色性筆記具を用いて酸性紙、中性紙、アルカリ性紙にそれぞれに筆記し、２５℃で２４時間放置して筆跡の状態を目視により観察した。
以下の表に試験結果を示す。
【００３３】
【表１】
2006225628.tif 000002
【００３４】
なお、表中の各試験結果の評価は以下のとおりである。
○：初期と比較して筆跡の色調に変化は見られない。
×：初期と比較して筆跡が薄くなっている。
【００３５】
変色液の調製
亜硫酸ナトリウム（還元剤）                                １０．０部
炭酸カリウム                                                １．０部
リン酸エステル系界面活性剤                                  ０．２部
〔第一工業製薬（株）製、商品名：プライサーフＡＬ〕
石炭酸（防腐剤）                                            ０．１部
グリセリン                                                １０．０部
水（イオン交換水）                                        ７８．７部
前記溶剤中に還元剤と各種添加剤を加えて攪拌して変色液を得た。
【００３６】
変色用塗布具の作製
前記変色液を、軸筒内に直接収容し、櫛溝状のインキ流量調節部材を介して軸筒先端部にチゼル型繊維マーキングペンチップを取り付けてマーキングペン形態の変色用塗布具を得た。
なお、前記変色用筆記具には着脱自在のキャップを備えてなる。
【００３７】
両頭式変色性筆記具の作製
軸筒内部に７：３の容積となる仕切り壁を設けた両端開口形状の軸筒の一方（大容積部分）に前記実施例１で調製したインキを収容し、櫛溝状のインキ流量調節部材を介して軸筒先端部にチゼル型繊維マーキングペンチップを取り付けた。
次いで、他方（小容積部分）に前記変色液を収容し、櫛溝状のインキ流量調節部材を介して軸筒先端部にチゼル型繊維マーキングペンチップを取り付けて両頭式変色性筆記具Ａを得た。
前記筆記具を用いて紙面上に筆記すると、緑色の筆跡が得られ、前記筆跡上から他方に設けた変色液を塗布すると筆跡は消色した。
前記筆記具は筆記と消去を１本の筆記具で行うことができるため、携帯性と利便性に優れる。
【００３８】
両頭式変色性筆記具の作製
軸筒内部に８：２の容積となる仕切り壁を設けた両端開口形状の軸筒の一方（大容積部分）に前記実施例２で調製したインキを収容し、櫛溝状のインキ流量調節部材を介して軸筒先端部に砲弾型繊維マーキングペンチップを取り付けた。
次いで、他方（小容積部分）に前記変色液を収容し、櫛溝状のインキ流量調節部材を介して軸筒先端部にチゼル型繊維マーキングペンチップを取り付けて両頭式変色性筆記具Ｂを得た。
前記筆記具を用いて紙面上に筆記すると、緑色の筆跡が得られ、前記筆跡上から他方に設けた変色液を塗布すると筆跡は消色した。
前記筆記具は筆記と消去を１本の筆記具で行うことができるため、携帯性と利便性に優れる。
【００３９】
両頭式変色性筆記具の作製
軸筒内部に５：５の容積となる仕切り壁を設けた両端開口形状の軸筒の一方に前記実施例３で調製したインキを収容し、櫛溝状のインキ流量調節部材を介して軸筒先端部に砲弾型繊維マーキングペンチップを取り付けた。
次いで、他方に別途作製した赤色の筆跡を形成できる変色性インキを収容し、櫛溝状のインキ流量調節部材を介して軸筒先端部に砲弾型繊維マーキングペンチップを取り付けて両頭式変色性筆記具Ｃを得た。
前記筆記具を用いて紙面上に筆記すると、緑色と赤色の筆跡が得られ、前記筆跡上から変色用塗布具を用いて変色液を塗布すると筆跡は消色した。
前記筆記具は異なる色調の筆跡を１本の筆記具で形成できるため、携帯性と利便性に優れる。
【００４０】
両頭式変色性筆記具の作製
軸筒内部に７：３の容積となる仕切り壁を設けた両端開口形状の軸筒の一方（大容積部分）に前記実施例４で調製したインキを収容し、櫛溝状のインキ流量調節部材を介して軸筒先端部にチゼル型繊維マーキングペンチップを取り付けた。
次いで、他方（小容積部分）に前記変色液を収容し、櫛溝状のインキ流量調節部材を介して軸筒先端部にチゼル型繊維マーキングペンチップを取り付けて両頭式変色性筆記具Ｄを得た。
前記筆記具を用いて紙面上に筆記すると、緑色の筆跡が得られ、前記筆跡上から他方に設けた変色液を塗布すると筆跡は消色した。
前記筆記具は筆記と消去を１本の筆記具で行うことができるため、携帯性と利便性に優れる。
【００４１】
筆記具セットの作製
前記実施例１で作製した変色性筆記具と、前記変色性塗布具を組み合わせて筆記具セットを得た。
前記筆記具を用いて紙面上に筆記すると、緑色の筆跡が得られ、前記筆跡上から変色用塗布具を用いて変色液を塗布すると筆跡は消色した。
【００４２】
筆記具セットの作製
前記実施例２で作製した変色性筆記具と、別途作製した赤色の筆跡を形成できる変色性筆記具と、変色性塗布具を組み合わせて筆記具セットを得た。
前記筆記具を用いて紙面上に筆記すると、緑色と赤色の筆跡が得られ、前記筆跡上から変色用塗布具を用いて変色液を塗布すると筆跡は消色した。
【００４３】
筆記具セットの作製
前記実施例４で作製した変色性筆記具と、前記変色性塗布具を組み合わせて筆記具セットを得た。
前記筆記具を用いて紙面上に筆記すると、緑色の筆跡が得られ、前記筆跡上から変色用塗布具を用いて変色液を塗布すると筆跡は消色した。
【００４４】
応用例１
前記両頭式変色性筆記具Ａを用いて、紙面に印刷された黒色の文字を覆うように筆記して緑色の筆跡を形成した。
なお、前記筆跡を透して黒色の文字は視覚可能であった。
前記筆跡上に赤色透明性シートを載置すると、筆跡の緑色とシートの赤色は補色の関係にあり、黒色に視覚されるため、文字は視覚されなくなる。
次いで、赤色透明性シートを取り除き、筆跡上から他方に設けた変色液を塗布すると筆跡は消色するため、再び黒色の文字が視認されるのみとなり、暗記に適した筆記具が得られた。
【００４５】
応用例２
前記両頭式変色性筆記具Ｂを用いて、紙面上に筆記して緑色の筆跡を形成した。
前記文字上に同色の緑色透明性シートを載置すると、文字は視覚されなくなった。
次いで、緑色透明性シートを取り除き、筆跡上から他方に設けた変色液を塗布すると筆跡は消色するため、暗記に適した筆記具が得られた。
【００４６】
応用例３
前記両頭式変色性筆記具Ｄを用いて、紙面に印刷された黒色の文字を覆うように筆記して緑色の筆跡を形成した。
なお、前記筆跡を透して黒色の文字は視覚可能であった。
前記筆跡上に赤色透明性シートを載置すると、筆跡の緑色とシートの赤色は補色の関係にあり、黒色に視覚されるため、文字は視覚されなくなる。
次いで、赤色透明性シートを取り除き、筆跡上から他方に設けた変色液を塗布すると筆跡は消色するため、再び黒色の文字が視認されるのみとなり、暗記に適した筆記具が得られた。
また、前記両頭式変色性筆記具Ｄを用いて、紙面上に筆記して緑色の筆跡を形成した。
前記文字上に同色の緑色透明性シートを載置すると、文字は視覚されなくなった。
次いで、緑色透明性シートを取り除き、筆跡上から他方に設けた変色液を塗布すると筆跡は消色するため、暗記に適した筆記具が得られた。